(57)【要約】【課題】不使用時の電源電池の電力消費を節約することができる携帯通信機器の電力回路を供給すること。【解決手段】外部の装置回路２に電力を供給する電池１１と、スイッチ付きＳＩＭカードコネクタ１２とを備え、電池１１、スイッチ付きＳＩＭカードコネクタ１２が内蔵するスイッチ、及び装置回路２が、全て直列接続されるように配線されている。【選択図】図１
2014204233.tif 000002
【特許請求の範囲】
【請求項１】
外部の装置回路に電力を供給する電池と、
スイッチ付きＳＩＭカードコネクタと
を備え、
前記電池、前記スイッチ付きＳＩＭカードコネクタが内蔵するスイッチ、及び前記装置回路が、全て直列接続されるように配線されている
ことを特徴とする携帯通信機器の電力回路。
【請求項２】
前記スイッチがＯＮの時に、前記電池から前記装置回路に電力を供給し、前記スイッチがＯＦＦの時に、前記電池から前記装置回路への電力供給を遮断する
ことを特徴とする請求項１に記載の携帯通信機器の電力回路。
【請求項３】
前記スイッチ付きＳＩＭカードコネクタにＳＩＭカードが装着された時に前記スイッチがＯＮとなり、前記スイッチ付きＳＩＭカードコネクタから前記ＳＩＭカードが抜き取られた時に前記スイッチがＯＦＦとなる
ことを特徴とする請求項１又は２に記載の携帯通信機器の電力回路。
【請求項４】
前記装置回路は、携帯通信機器のハードウェアの一部を構成する回路であることを特徴とする
ことを特徴とする請求項１から３のいずれか一項に記載の携帯通信機器の電力回路。
【請求項５】
前記スイッチ付きＳＩＭカードコネクタに代えて、スイッチ付きμＳＩＭカードコネクタを備えたことを特徴とする
ことを特徴とする請求項１から４のいずれか一項に記載の携帯通信機器の電力回路。
【請求項６】
外部の装置回路に電力を供給する電池と、スイッチ付きＳＩＭカードコネクタとを備えた電力回路に適用され、
前記スイッチ付きＳＩＭカードコネクタにＳＩＭカードが装着された時に前記電池から前記装置回路に電力を供給するステップと、
前記スイッチ付きＳＩＭカードコネクタから前記ＳＩＭカードが抜き取られた時に前記電池から前記装置回路への電力供給を遮断するステップと
を備えることを特徴とする携帯通信機器の電源供給方法。
【請求項７】
ハードウェアを構成する電気回路が、請求項１から５のいずれか一項に記載の装置回路である
ことを特徴とする携帯通信機器。
【発明の詳細な説明】
【技術分野】
【０００１】
本発明は、携帯通信機器の電力回路、携帯通信機器の電源供給方法、及び携帯通信機器に関する。
【背景技術】
【０００２】
携帯通信機器は、使用者が実際に使用する時だけではなく、市場において、携帯通信機器を販売する時にも、通信可否の確認や初期設定などを実施する必要が有ることから、該携帯通信機器を電池（二次電池）電源で動作させる必要が有る。このため、携帯通信機器は、電源電池の取り外しが可能な機器の場合、工場出荷に際しては、この電源電池を或る程度は容量充電しておき、電源電池を取り外した状態で包装し、このような携帯通信機器に備品として取り付けていた。
【０００３】
しかしながら、最近は、このような携帯通信機器であっても、電源電池を内蔵したままで製品として工場出荷される場合が生じてきた。このような携帯通信機器では、出荷後の使用者等による改造が禁止されており、このため、装置本体の筐体は特殊なネジで締付けられている。よって、使用者等の一般の人は、電源電池ケースも含めて、装置本体を開けることができない。そこで、携帯通信機器の市場では、電源電池を内蔵している製品については、携帯通信機器を組立てる時に電源電池を内蔵したままにし、その後も継続して電源電池を接続された状態にしていた。
【０００４】
しかし、この場合、電源電池が接続されたまま放置されるため、市場での流通・在庫期間に、携帯通信機器の内部回路の電力消費により、電池容量が無くなってしまって、上述の通信可否の確認や、初期設定の実施ができなくなることが問題点として有った。
【０００５】
このような背景に関連する技術としては、様々なものが知られている（例えば、特許文献１、２参照。）。
【０００６】
例えば、特許文献１には、直接にアクセス可能なカード支持側面を備えた壁と、接点端子がカード支持側面から壁の開口部を通って僅かに突起するコネクタとを有し、動作位置において、携帯電話機の取外し自在のカバーが電子カード読取り機に対向して固定され、携帯電話機に組み込まれ、同一接点構造を有するＩＳＯ（Ｉｎｔｅｒｎａｔｉｏｎａｌ  Ｏｒｇａｎｉｚａｔｉｏｎ  ｆｏｒ  Ｓｔａｎｄａｒｄｉｚａｔｉｏｎ）  ＳＩＭ（Ｓｕｂｓｃｒｉｂｅｒ  Ｉｄｅｎｔｉｔｙ  Ｍｏｄｕｌｅ）フォーマットの大形カード、又はマイクロＳＩＭフォーマットの小形カードを読み取るための電子カード読取り機が記載されている。具体的には、携帯電話機の読取り機は、小形マイクロＳＩＭカードを読み取り位置に保持するため、壁内に弾性的に引込み可能で、壁を通り、小形カードを横方向に閉じ込めるため静止状態で支持側面を通る位置決め用突起部が壁にあるので、接点パッドはコネクタ端子と一致し、カバーは、動作中にカードを支持側面に、接点を一致したコネクタ端子に押す。
【０００７】
また、例えば、特許文献２には、ＳＩＭカードなどのＩＣカード用のコネクタにおいて、該コネクタを大型化することなく、簡単な構造で構成できるカード検知スイッチ機構を開示している。具体的には、ＳＩＭカードを、電子部品が搭載された基板に対して面対向する状態で装着するカード用コネクタであって、上記カード用コネクタに、ＳＩＭカードが正規の装着位置またはその近傍位置に装着されたときに該ＳＩＭカードによって押され、電気的に導通してＳＩＭカードが装着されたことを検知する２つのカード検知接片を、上記カードの面と対向する位置に設け、上記カードに押される上記２つのカード検知接片の一方が、少なくとも一部分に絶縁材で形成された当接部材をモールド固定し、他方がＳＩＭカードに接触するように形成する。
【先行技術文献】
【特許文献】
【０００８】
【特許文献１】特開平１０−２８１５６号公報
【特許文献２】特開２００２−３４３５０５号公報
【発明の概要】
【発明が解決しようとする課題】
【０００９】
図６は、携帯通信機器における電力回路の回路構成を示す回路図である。同図に示すように、装置の電源である電池９１は、装置回路９２と直接に直列接続されている。
【００１０】
ところで、携帯通信機器は、前述のとおり、市場における販売時点では、携帯通信機器の通信可否の確認や初期設定などを実施する必要がある。このため、この販売時点においても、携帯通信機器を或る程度は使用できるように、その電源電池に容量を持たせる必要が有る。しかしながら、携帯通信機器は、電力を供給する電源がＯＦＦにされている場合にも、内部回路の一部が動作しており、電池容量を消費している。
【００１１】
即ち、携帯通信機器は、装置本体に電源電池が接続されている場合には、電池に蓄電されていた電力が常に消費される状態となり、残存電力量が早くから零となってしまう。このため、市場での販売時点では、上述の通信可否の確認や初期設定すらできなくなる問題点が生じていたのである。但し、携帯通信機器であっても、電源電池を装置本体から取り外しが可能な構成のものについては、このような問題点は生じない。しかしながら、携帯通信機器の内、装置本体に電池を内蔵する構成を有するものについては、電源電池が装置本体に接続されたままの状態になっているので、上記の問題点が生じていた。
【００１２】
なお、上述の特許文献１に記載の技術の場合、装置を使用しない状態であっても、電源電池が消費されるのであり、この状態を防ぐことができない。
【００１３】
また、上述の特許文献２に記載の技術の場合も、装置を使用しない状態において電源電池が消費される問題点を解消するものではない。
【００１４】
本発明の目的は、上述した課題を解決する携帯通信機器の電力回路、携帯通信機器の電源供給方法、及び携帯通信機器を提供することにある。
【課題を解決するための手段】
【００１５】
上記課題を解決するために、本発明の第１の形態によると、携帯通信機器の電力回路であって、外部の装置回路に電力を供給する電池と、スイッチ付きＳＩＭカードコネクタと、を備え、前記電池、前記スイッチ付きＳＩＭカードコネクタが内蔵するスイッチ、及び前記装置回路が、全て直列接続されるように配線されている。
【００１６】
本発明の第２の形態によると、外部の装置回路に電力を供給する電池と、スイッチ付きＳＩＭカードコネクタとを備えた電力回路に適用される携帯通信機器の電源供給方法であって、前記スイッチ付きＳＩＭカードコネクタにＳＩＭカードが装着された時に前記電池から前記装置回路に電力を供給するステップと、前記スイッチ付きＳＩＭカードコネクタから前記ＳＩＭカードが抜き取られた時に前記電池から前記装置回路への電力供給を遮断するステップとを備える。
【００１７】
本発明の第３の形態によると、携帯通信機器であって、ハードウェアを構成する電気回路が、第１の形態に記載の装置回路である。
【００１８】
なお、上記の発明の概要は、本発明の特徴の全てを列挙したものではない。また、これらの特徴群のサブコンビネーションもまた、発明となり得る。
【発明の効果】
【００１９】
以上の説明から明らかなように、この発明によっては、電池の残存電力量の消費を阻止することができる。
【００２０】
また、携帯通信機器側には、回路部品の追加を一切要求することなく、電池と装置回路との間の電気的な接続／遮断機能を実現することができる。
【００２１】
さらに、電池が装置本体からの取り外しができない作り付け構造の場合であっても、正気スイッチ付きＳＩＭカードコネクタの機能を有効にすることができるので、この場合にも、やはり、電池の残存電力量の無駄な消費を阻止することができる効果が得られる。
【図面の簡単な説明】
【００２２】
【図１】一実施形態に係る携帯通信機器の電力回路の全体構成を示す構成図である。
【図２】スイッチ付きＳＩＭカードコネクタとＳＩＭカードとの外観を例示する説明図である。
【図３】スイッチ付きＳＩＭカードコネクタ１２におけるＳＩＭカードの装着状態を例示する説明図である。
【図４】スイッチ付きＳＩＭカードコネクタ１２におけるＳＩＭカードの装着状態を例示する説明図である。
【図５】発明の一実施形態に係る携帯通信機器のスイッチ付きＳＩＭカードコネクタの他の構成を示す構成図である。
【図６】携帯通信機器における電力回路の回路構成を示す回路図である。
【発明を実施するための形態】
【００２３】
以下、発明の実施の形態を通じて本発明を説明するが、以下の実施形態は特許請求の範囲にかかる発明を限定するものではなく、また、実施形態の中で説明されている特徴の組み合わせの全てが発明の解決手段に必須であるとは限らない。
【００２４】
図１は、一実施形態に係る携帯通信機器の電力回路の全体構成を示す構成図である。携帯通信機器の電力回路は、携帯通信機器用の電源電池を含む電力回路であり、同回路において、該携帯通信機器の不使用時には、上記電源電池から該携帯通信機器への電力供給を遮断することで、電源電池の残存電力量の維持を図るものである。なお、この電力供給を遮断する仕組みには、通信事業者から支給されるＳＩＭカードを使用する。
【００２５】
即ち、本実施形態の携帯通信機器は、通信機器として使用する場合には、必ず上述の通信事業者から支給されるＳＩＭカードを装置本体に装着する必要が有ることに着目したものである。より具体的には、このＳＩＭカードを入れるＳＩＭカードコネクタには、ＳＩＭカードが入ったことを検出するためのスイッチが装備された部品が必ず存在することに着目している。即ち、本実施形態に係る携帯通信機器の電力回路では、上記のスイッチを、電源電池と該携帯通信機器の内部回路との間に接続する電気配線を形成するものである。
【００２６】
同図において、本実施形態の携帯通信機器の電力回路１は、携帯通信機器１０のハードウェアの一部を構成する回路である。また、装置回路２は、携帯通信機器１０のハードウェアの一部を構成する回路である。図１に示す携帯通信機器の電力回路１は、電源電池である電池１１と装置回路２との間を結ぶ電気配線に、挿入接続されたスイッチ付きＳＩＭカードコネクタ１２とを備えて構成される。
【００２７】
図１に示すとおり、携帯通信機器１０は、電池１１、スイッチ１２１、及び装置回路２が、直列接続された電気回路を有する。なお、装置回路２の具体的なブロック構成については、特に限定されるものではないので、図示は省略する。
【００２８】
スイッチ付きＳＩＭカードコネクタ１２が内蔵するスイッチ１２１がＯＮである場合は、電池１１からスイッチ１２１を経た電流が装置回路２に達し、かつ装置回路２から電池１１に戻る電流経路が形成されて、装置回路２には、電池１１からの電力が供給される。なお、スイッチ付きＳＩＭカードコネクタ１２のスイッチ１２１は、スイッチ付きＳＩＭカードコネクタ１２にＳＩＭカード（図２）が装着された場合（携帯通信機器１０の使用時）にＯＮとなる。これとは逆に、スイッチ１２１は、ＳＩＭカードが装着が該コネクタから抜き取られるとＯＦＦになるものとする。
【００２９】
以下、図１に示す本実施形態の携帯通信機器の電力回路１の機能を説明する。図１に示す携帯通信機器の電力回路１は、携帯通信機器１０の内部回路である装置回路２と電池１１との間にスイッチ付きＳＩＭカードコネクタ１２を接続している。なお、このような回路構成を形成するために、本実施形態の携帯通信機器１０の回路配線も、この接続に準じた配線にするものとする。
【００３０】
図２は、スイッチ付きＳＩＭカードコネクタとＳＩＭカードとの外観を例示する説明図である。図１，２に示すスイッチ付きＳＩＭカードコネクタ１２は、ＳＩＭカード３（図２）の抜き差しが可能にするものであり、使用者がＳＩＭカードを使用する際には、該ＳＩＭカード３をスイッチ付きＳＩＭカードコネクタ１２に装着するものである。
【００３１】
図１，２に示すスイッチ付きＳＩＭカードコネクタ１２は、上記のＳＩＭカードを使用させる機能を有する。さらに、この機能に加えて、前述のとおり、使用者によって、該ＳＩＭカードの該コネクタでの抜き差しが成された時点で、装置回路２と電池１１との間の電気的な接続をＯＮ／ＯＦＦする機能を有することになる。
【００３２】
図３，４は、スイッチ付きＳＩＭカードコネクタ１２におけるＳＩＭカードの装着状態を例示する説明図である。図３では、スイッチ付きＳＩＭカードコネクタ１２に対して、ＳＩＭカード３が未装着の状態を示すものである。この状態では、スイッチ付きＳＩＭカードコネクタ１２の内蔵スイッチは、装置回路２と電池１１との間の電気的な接続をＯＦＦにするように動作する。また、図４では、スイッチ付きＳＩＭカードコネクタ１２に対して、ＳＩＭカード３が装着された状態を示すものである。この状態では、スイッチ付きＳＩＭカードコネクタ１２の内蔵スイッチは、装置回路２と電池１１との間の電気的な接続をＯＮにするように動作する。
【００３３】
なお、本実施形態の携帯通信機器の電力回路１を一部の電気回路として備えた携帯通信機器１０については、電池を内蔵する装置本体の組立て時に、スイッチ付きＳＩＭカードコネクタ１２、電池１１、及び装置回路２の接続配線を実施するものとする。但し、スイッチ付きＳＩＭカードコネクタ１２には、ＳＩＭカード３を装着しないで製品を完成させ、市場での販売時点まで、このままの状態にするものとする。これは、スイッチ付きＳＩＭカードコネクタ１２の内蔵スイッチをＯＦＦのままとすることで、電池１１の電力消費を防止するためである。
【００３４】
使用者が、本装置を使用する際には、ＳＩＭカード３をスイッチ付きＳＩＭカードコネクタ１２に装着し、スイッチ付きＳＩＭカードコネクタ１２の内蔵スイッチを該使用者がＯＮとするものとする。これにより、電池１１の電力が、スイッチ付きＳＩＭカードコネクタ１２を介して、装置回路２に供給される。
【００３５】
この実施形態に係る携帯通信機器の電力回路１によれば、使用者が携帯通信機器１０を使用しない場合には、使用者がスイッチ付きＳＩＭカードコネクタ１２の内蔵スイッチをＯＦＦとすることで、電池１１の残存電力量の消費を阻止することができる。また、携帯通信機器１０側には、回路部品の追加を一切要求することなく、電池１１と装置回路２との間の電気的な接続／遮断機能を実現することができる。さらに、電池１１が装置本体からの取り外しができない作り付け構造の場合にも、上述のスイッチ付きＳＩＭカードコネクタ１２の機能を有効にすることができるので、この場合にも、やはり、電池１１の残存電力量の無駄な消費を阻止することができる。
【００３６】
（その他の実施の形態）：図５は、一実施形態に係る携帯通信機器のスイッチ付きＳＩＭカードコネクタの他の構成を示す構成図である。ここでは、前述の実施形態におけるスイッチ付きＳＩＭカードコネクタ１２の代わりに、スイッチ付きμＳＩＭコネクタを使用する。また、ＳＩＭカード３に代えてμＳＩＭカード５を使用する。この実施形態においても、前述の実施形態におけるスイッチ１２１と同様に、該コネクタが内蔵するスイッチ５２１を使用するものである。
【００３７】
なお、スイッチ付きＳＩＭカードコネクタは、上記の各実施形態に限るものではなく、スイッチ付でありさえすれば、他の任意の構成のＳＩＭカードコネクタを使用することができる。また、ＳＩＭカードコネクタとは限らず、ＳＩＭカードコネクタと同様の機能を備えた他の任意のコネクタを使用することができる。さらに、ＳＩＭカードとは限らず、ＳＩＭカードと同様の機能を備えた他の任意の記憶媒体を使用することができる。
【符号の説明】
【００３８】
１  携帯通信機器の電力回路
２  装置回路
３  ＳＩＭカード
１０  携帯通信機器
１１  電池
１２  スイッチ付きＳＩＭカードコネクタ
１２１  スイッチ
【図１】
2014204233.tif 000003
【図２】
2014204233.tif 000004
【図３】
2014204233.tif 000005
【図４】
2014204233.tif 000006
【図５】
2014204233.tif 000007
【図６】
2014204233.tif 000008